(57)【要約】【課題】後キャビネットに操作盤を設けたモジュールと前キャビネットに液晶表示パネルを設けたモジュールとによって構成されている場合に、後キャビネットを取り外しても、操作盤が後キャビネットから分離して前キャビネットに掛止される表示装置を提供する。【解決手段】係止溝９ｂに係止板１３ｃを挿入し、係止溝９ｂに対して直角な方向に突出した突出片２ｂを嵌合孔１３ｄに嵌合させる構成とした。そのため保守点検時に後キャビネット９を前キャビネット２から取り外した場合に、操作盤１３の係止板１３ｃは係止溝９ｂから抜け出るが、突出片２ｂは嵌合孔１３ｄから抜け出ず、操作盤１３は後キャビネット９から離れて前キャビネット２に掛止され、保守点検作業を短時間で行うことができる。【選択図】図２
2010281967.tif 000002
【特許請求の範囲】
【請求項１】
表示パネルの周囲に配置される枠状の前キャビネットと、該前キャビネットの後側に配置してあり、前記表示パネルへ光を照射する光源を収容する後キャビネットと、前記表示パネルの駆動を操作するための操作盤とを備える表示装置において、
前記後キャビネットの側面に前記操作盤が配置される切欠が形成してあり、
互いに対向する前記切欠の側面に係止溝が形成してあり、
前記係止溝に挿入される係止部が前記操作盤の縁部分に設けてあり、
前記操作盤は、該操作盤を前記切欠に配置した場合に前記前キャビネット側へ延出する延出部を備え、
前記延出部を掛止する掛止部が前記前キャビネットに設けてあること
を特徴とする表示装置。
【請求項２】
前記延出部は前記前キャビネットの内側に位置し、
前記延出部に嵌合孔が設けてあり、
前記掛止部は、前記前キャビネットの内側面から内側へ突出し、前記嵌合孔に嵌合する突出部であること
を特徴とする請求項１に記載の表示装置。
【請求項３】
前記突出部の先端部分を曲面状に形成してあることを特徴とする請求項２に記載の表示装置。
【請求項４】
前記前キャビネットの側面に対向しており、前記前キャビネットの側面との間で前記操作盤を保持する保持板を前記前キャビネットに設けてあることを特徴とする請求項２又は３に記載の表示装置。
【請求項５】
前記掛止部は、前記前キャビネットの側面に対向しており、前記前キャビネットの側面との間で前記操作盤を挟持する挟持板であることを特徴とする請求項１に記載の表示装置。
【発明の詳細な説明】
【技術分野】
【０００１】
本発明は映像を表示する表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されており、操作盤の操作によって液晶表示パネルの駆動が操作される。操作盤は外部に露出するようにキャビネットに設けてあり、特許文献１には前キャビネットに操作盤を固定した液晶表示装置が開示してある。
【０００３】
特許文献１に記載の液晶表示装置は、保守点検時に後キャビネットを取り外し、液晶表示パネルの動作を制御する制御基板を露出させて、操作盤の操作に対する液晶表示パネルの動作を確認し、必要に応じて制御基板を調整することができる。
【０００４】
近年、製造コストの削減を図るべく、労務費の低廉な地域で液晶表示装置を構成するモジュールを製造し、製造したモジュールを販売地域で組み立てることが行われている。例えば後キャビネットに操作盤を固定したモジュールと前キャビネットに液晶表示パネルを固定したモジュールとを労務費の低廉な地域でそれぞれ製造し、両モジュールを販売地域で組み立てて液晶表示装置を製造することが行われている。
【先行技術文献】
【特許文献】
【０００５】
【特許文献１】特開２００７−１１４５６６号公報
【発明の概要】
【発明が解決しようとする課題】
【０００６】
前記両モジュールからなる液晶表示装置は、前キャビネットから後キャビネットを取り外した場合に、後キャビネットに固定した操作盤も前キャビネットから取り外される。そのため保守点検時には、前キャビネットから後キャビネットを取り外したあとに、後キャビネットから操作盤を取り外さなければならない。
【０００７】
本発明は斯かる事情に鑑みてなされたものであり、後キャビネットに操作盤を設けたモジュールと前キャビネットに液晶表示パネルを設けたモジュールとによって構成した場合であっても、後キャビネットを前キャビネットから取り外したときに、操作盤が前キャビネットに掛止され、後キャビネットから離反する表示装置を提供することを目的とする。
【課題を解決するための手段】
【０００８】
本発明に係る表示装置は、表示パネルの周囲に配置される枠状の前キャビネットと、該前キャビネットの後側に配置してあり、前記表示パネルへ光を照射する光源を収容する後キャビネットと、前記表示パネルの駆動を操作するための操作盤とを備える表示装置において、前記後キャビネットの側面に前記操作盤が配置される切欠が形成してあり、互いに対向する前記切欠の側面に係止溝が形成してあり、前記係止溝に挿入される係止部が前記操作盤の縁部分に設けてあり、前記操作盤は、該操作盤を前記切欠に配置した場合に前記前キャビネット側へ延出する延出部を備え、前記延出部を掛止する掛止部が前記前キャビネットに設けてあることを特徴とする。
【０００９】
本発明においては、後キャビネットの側面に形成した切欠に係止溝を設け、該係止溝に操作盤の係止部を挿入し、操作盤を後キャビネットに係止させて、操作盤及び後キャビネットを有するモジュールを製造する。また表示パネル及び前キャビネットを有するモジュールを製造し、両モジュールを組み立てて表示装置を製造する。このとき前キャビネットに設けた掛止部によって操作盤の延出部が掛止される。そのため、保守点検時に後キャビネットを前キャビネットから取り外した場合に、操作盤の係止部は係止溝から抜け出て、操作盤は前キャビネットに保持される。
【００１０】
本発明に係る表示装置は、前記延出部は前記前キャビネットの内側に位置し、前記延出部に嵌合孔が設けてあり、前記掛止部は、前記前キャビネットの内側面から内側へ突出し、前記嵌合孔に嵌合する突出部であることを特徴とする。
【００１１】
本発明においては、前キャビネットの側面から内側へ突出した突出部を操作盤の延出部に設けた嵌合孔に嵌合させることによって、表示装置の製造時に、前キャビネットに操作盤が確実に掛止される。
【００１２】
本発明に係る表示装置は、前記突出部の先端部分を曲面状に形成してあることを特徴とする。
【００１３】
本発明においては、突出部は前記嵌合孔に円滑に挿入される。
【００１４】
本発明に係る表示装置は、前記前キャビネットの側面に対向しており、前記前キャビネットの側面との間で前記操作盤の延出した部分を保持する保持板を前記前キャビネットに設けてあることを特徴とする。
【００１５】
本発明においては、前キャビネットの側面と保持板との間で操作盤が保持されるので、後キャビネットを前キャビネットから取り外しても、操作盤の姿勢が保持され、取り外した後キャビネットを前キャビネットに取り付ける場合に操作盤の係止部は係止溝に速やかに挿入される。
【００１６】
本発明に係る表示装置は、前記掛止部は、前記前キャビネットの側面に対向しており、前記前キャビネットの側面との間で前記操作盤を挟持する挟持板であることを特徴とする。
【００１７】
本発明においては、前キャビネットの側面と挟持板との間で操作盤が挟持されるので、後キャビネットを前キャビネットから取り外した場合に、操作盤の係止部は係止溝から抜け出て、操作盤は前キャビネットに保持される。また操作盤の姿勢が保持され、取り外した後キャビネットを前キャビネットに取り付ける場合に、操作盤の係止部は係止溝に速やかに挿入される。
【発明の効果】
【００１８】
本発明に係る表示装置にあっては、後キャビネットの側面に形成した切欠に係止溝を設け、該係止溝に操作盤の係止部を挿入し、操作盤を後キャビネットに係止させて、操作盤及び後キャビネットを有するモジュールを製造する。また表示パネル及び前キャビネットを有するモジュールを製造し、両モジュールを組み立てて表示装置を製造する。このとき前キャビネットに設けた掛止部によって操作盤は掛止されるので、保守点検時に後キャビネットを前キャビネットから取り外した場合に、操作盤の係止部は係止溝から抜け出て、操作盤は前キャビネットに保持され、保守点検作業を短時間で行うことができる。
【図面の簡単な説明】
【００１９】
【図１】実施の形態に係る表示装置を略示する分解斜視図である。
【図２】実施の形態に係る表示装置の切欠に設けた操作盤を略示する外観斜視図である。
【図３】実施の形態に係る表示装置の切欠に設けた操作盤を後側から見た略示斜視図である。
【図４】実施の形態に係る表示装置の操作盤を略示する平面図である。
【図５】図２にて示したＶ−Ｖ線における断面図である。
【図６】図２にて示したＶＩ−ＶＩ線における断面図である。
【図７】実施の形態に係る表示装置の変形例１を略示する断面図である。
【図８】実施の形態に係る表示装置の変形例２を略示する断面図である。
【発明を実施するための形態】
【００２０】
以下本発明を実施の形態に係る表示装置を示す図面に基づいて詳述する。図１は表示装置を略示する分解斜視図である。
図において１は液晶を備える矩形の表示パネルであり、該表示パネル１は、液晶への印加電圧を制御して光の透過率を調整し、映像を表示するように構成されている。表示パネル１は矩形枠状の前キャビネット２に収容してある。該前キャビネット２は表示パネル１の周囲に配置されている。前キャビネット２は矩形の開口２ａを備えており、該開口２ａの寸法は表示パネル１に対応した寸法となっている。
【００２１】
表示パネル１の後側には、後述するＬＥＤ６の光を表示パネル１へ向けて集光する複数の光学シート３が設けてある。該光学シート３の後側にはＬＥＤ６の光を均一に拡散する拡散板４が設けてある。該拡散板４、光学シート３、表示パネル１及び前キャビネット２によって一つのモジュールが構成されている。
【００２２】
前記拡散板４の後側にはＬＥＤ６の光を前方へ反射する反射板５が設けてある。該反射板５の後側に、複数のＬＥＤ（光源）６、６、・・・、６を前面に実装したＬＥＤ基板が設けてある。反射板５には複数の孔が開設してあり、該孔にＬＥＤ６がそれぞれ挿入してある。ＬＥＤ基板の後側にＬＥＤ６の熱を放出するための放熱板７が設けてある。該放熱板７の左右には反射板５を支持する支持台８、８が各別に設けてある。放熱板７の後側には深皿形の後キャビネット９が設けてあり、該後キャビネット９には、ＬＥＤ基板と表示パネル１の駆動を制御する制御基板１０とが収容してある。後キャビネット９の縦及び横寸法と前キャビネット２の縦及び横寸法は略同じであり、後キャビネット９の縁部分と前キャビネット２の縁部分とは互いに対向する。
【００２３】
後キャビネット９の下部にはスピーカ１１が設けてあり、後キャビネット９の後面にはＢＤ（Blu-ray Disc）ユニット１２が設けてある。スピーカ１１及びＢＤユニット１２は制御基板１０からの出力信号に基づいて駆動する。
【００２４】
後キャビネット９の側面に上下に長い矩形の切欠９ａが形成してあり、該切欠９ａには、表示パネル１の駆動を操作するための複数の操作ボタン１３ａを有する矩形の操作盤１３が設けてある。前記反射板５、ＬＥＤ基板、放熱板７、支持台８、制御基板１０、後キャビネット９、スピーカ１１、ＢＤユニット１２及び操作盤１３によって一つのモジュールが構成されている。
【００２５】
図２は切欠９ａに設けた操作盤１３を略示する外観斜視図、図３は切欠９ａに設けた操作盤１３を後側から見た略示斜視図、図４は操作盤１３を略示する平面図である。
【００２６】
図２及び図３に示すように、互いに対向する前記切欠９ａの側面には、前後方向に延びた係止溝９ｂ、９ｂがそれぞれ形成してある。
前記操作盤１３は、図４に示すように、矩形の取付板１３ｂを備えており、取付板１３ｂに複数の操作ボタン１３ａ、１３ａ、・・・、１３ａが設けてある。取付板１３ｂの両端部には、図４に示すように、外向きに突出した係止板１３ｃ、１３ｃがそれぞれ設けてあり、該係止板１３ｃ、１３ｃは係止溝９ｂ、９ｂにそれぞれ挿入してある。取付板１３ｂは切欠９ａから前方へ延出しており、取付板１３ｂの延出した部分は、前キャビネット２の側面よりも内側に位置し、前キャビネット２の側面に対向している（以下取付板１３ｂの切欠９ａから前方へ延出した部分を延出部１３ｅという）。延出部１３ｅには、貫通した複数の嵌合孔１３ｄ、１３ｄ、１３ｄが取付板１３ｂの長手縁に沿って並設してある。なお操作盤１３は図示しないスイッチを押圧するように構成してあり、該スイッチの出力信号が前記制御基板１０に入力されるようにしてある。
【００２７】
図５は図２にて示したＶ−Ｖ線における断面図、図６は図２にて示したＶＩ−ＶＩ線における断面図である。
前記前キャビネット２の側面の縁部分に、内側に突出した複数の突出片２ｂ、２ｂ、２ｂが設けてある。該突出片２ｂは前キャビネット２の側面に対して直角（すなわち係止溝９ｂに対して直角）になっており、前記嵌合孔１３ｄに対応するように、前キャビネット２に配置してある。突出片２ｂの一側は、図５に示すように、突出端へ向かうに従って突出片２ｂが縮幅するように傾斜している。突出片２ｂは嵌合孔１３ｄに嵌合しており、突出片２ｂの一側が嵌合孔１３ｄの縁部分に接触し、突出片２ｂの他側が嵌合孔１３ｄの側面全体に接触している。突出片２ｂの一側を傾斜させることによって、突出片２ｂは嵌合孔１３ｄに容易に挿入される。なお突出片２ｂの先端を曲面状に形成しても良い。
【００２８】
前キャビネット２の内側において、延出部１３ｅに対向する複数の保持板２ｃが前キャビネット２の前面から後方へ延出している。延出部１３ｅは、保持板２ｃと前キャビネット２の側面との間に位置しており、保持板２ｃと前キャビネット２の側面とによって、横方向の移動が規制される。
【００２９】
なお図６に示すように、保持板２ｃの延出端部には、延出端に向かうに従って保持板２ｃの横幅が縮幅するように、テーパ２ｃａが形成してあり、取付板１３ｂの延出端部には、延出端に向かうに従って取付板１３ｂの横幅が縮幅するように、テーパ１３ｂａが形成してある。該テーパ２ｃａ及びテーパ１３ｂａによって、取付板１３ｂは保持板２ｃと前キャビネット２の側面との間に容易に挿入される。
【００３０】
本発明に係る表示装置は、拡散板４、光学シート３、表示パネル１及び前キャビネット２によるモジュールと、反射板５、ＬＥＤ基板、放熱板７、支持台８、後キャビネット９、スピーカ１１、ＢＤユニット１２及び操作盤１３によるモジュールとを組み立てることによって、製造される。後キャビネット９を含むモジュールにおいて、取付板１３ｂの係止板１３ｃは切欠９ａの係止溝９ｂに挿入してあり、係止板１３ｃと係止溝９ｂとの摩擦抵抗によって取付板１３ｂは後キャビネット９に固定してある。そのため後キャビネット９を含むモジュールを販売地域へ運搬している間に、後キャビネット９から取付板１３ｂが外れることはない。両モジュールを組立てる場合には、延出部１３ｅを、保持板２ｃと前キャビネット２の側面との間に挿入し、嵌合孔１３ｄに突出片２ｂを嵌合させる。
【００３１】
実施の形態１に係る表示装置にあっては、前キャビネット２に設けた突出片２ｂは、係止溝９ｂに対して直角な方向に突出し、嵌合孔１３ｄに嵌合しているので、保守点検時に後キャビネット９を前キャビネット２から取り外した場合に、操作盤１３の係止板１３ｃは係止溝９ｂから抜け出るが、突出片２ｂは嵌合孔１３ｄから抜け出ることはない。そのため操作盤１３は後キャビネット９から離れて前キャビネット２に掛止され、保守点検作業を短時間で行うことができる。
【００３２】
また前キャビネット２の側面と保持板２ｃとによって、横方向の移動が規制されるので、後キャビネット９を前キャビネット２から取り外しても、操作盤１３の姿勢が保持され、取り外した後キャビネット９を前キャビネット２に取り付ける場合に係止板１３ｃを係止溝９ｂに速やかに挿入することができる。
【００３３】
なお実施の形態に係る表示装置は光源としてＬＥＤ６を使用しているが、蛍光管を使用しても良い。
【００３４】
（変形例１）
次に本発明を実施の形態に係る表示装置の変形例１を示す図面に基づいて詳述する。図７は変形例１を略示する断面図である。
変形例１においては、延出部１３ｅに、凹部１３ｄａ（嵌合孔）が形成してあり、該凹部１３ｄａに突出片２ｂａが嵌合している。該突出片２ｂａは、凹部１３ｄａの深さに対応した寸法で前キャビネット２の側面から内側へ延出している。突出片２ｂａの突出端部は曲面状、例えば半球状に形成されている。
【００３５】
変形例１に係る表示装置にあっては、突出片２ｂａの突出端部が曲面状に形成されているので、突出片２ｂは前記凹部１３ｄａに円滑に挿入され、表示装置を迅速に組み立てることができる。また凹部１３ｄａの深さに対応する寸法で突出片２ｂａを設計することで、嵌合した突出片２ｂａは凹部１３ｄａから外れにくくなる。
【００３６】
（変形例２）
以下本発明を実施の形態に係る表示装置の変形例２を示す図面に基づいて詳述する。図８は変形例２を略示する断面図である。
変形例２においては、図８に示すように、前キャビネット２の側面に対向する挟持板２ｄが、前キャビネット２の前面から後方へ延出している。該挟持板２ｄと前キャビネット２の側面との間の寸法は、延出部１３ｅの厚さよりも若干小さくなっており、挟持板２ｄと前キャビネット２の側面との間にて、延出部１３ｅが挟持されている。挟持板２ｄと前キャビネット２の側面との間における延出部１３ｅに作用する摩擦抵抗は、係止溝９ｂにおいて係止板１３ｃに作用する摩擦抵抗よりも大きくなっている。
【００３７】
図８に示すように、挟持板２ｄの延出端部には、延出端に向かうに従って挟持板２ｄの横幅が縮幅するようにテーパ２ｄａが形成してあり、該テーパ２ｄａによって、取付板１３ｂは挟持板２ｄと前キャビネット２の側面との間に容易に挿入される。なお取付板１３ｂに嵌合孔１３ｄは形成されておらず、また前キャビネット２に突出片２ｂは形成されていない。
【００３８】
本発明においては、前キャビネット２の側面と挟持板２ｄとの間で取付板１３ｂが挟持され、挟持板２ｄと前キャビネット２の側面との間における取付板１３ｂに作用する摩擦抵抗は、係止溝９ｂにおいて係止板１３ｃに作用する摩擦抵抗よりも大きくなっているので、後キャビネット９を前キャビネット２から取り外した場合に、操作盤１３の係止板１３ｃが係止溝９ｂから抜け出て、操作盤１３は前キャビネット２に保持される。また挟持板２ｄと前キャビネット２の側面とによって操作盤１３の姿勢が保持され、取り外した後キャビネット９を前キャビネット２に取り付ける場合に、係止板１３ｃを係止溝９ｂに速やかに挿入することができる。
【符号の説明】
【００３９】
１  表示パネル
２  前キャビネット
２ａ  開口
２ｂ、２ｂａ  突出片（突出部）
２ｃ  保持板
２ｄ  挟持板
６  ＬＥＤ（光源）
９  後キャビネット
９ａ  切欠
９ｂ  係止溝
１３  操作盤
１３ａ  操作ボタン
１３ｂ  取付板
１３ｃ  係止板（係止部）
１３ｄ  嵌合孔
【図１】
2010281967.tif 000003
【図２】
2010281967.tif 000004
【図３】
2010281967.tif 000005
【図４】
2010281967.tif 000006
【図５】
2010281967.tif 000007
【図６】
2010281967.tif 000008
【図７】
2010281967.tif 000009
【図８】
2010281967.tif 000010